【手続補正書】
【提出日】平成16年7月6日(2004.7.6)
【手続補正１】
【補正対象書類名】明細書
【補正対象項目名】全文
【補正方法】変更
【補正の内容】
【書類名】  明細書
【発明の名称】  クレードル、セキュリティシステム、携帯電話機、および監視方法
【特許請求の範囲】
【請求項１】
携帯電話機を支持する携帯電話機支持部と、
前記携帯電話機と電気的に接続される接続部と、
監視領域の状態を検知するセンサからの通報を受信するセンサ通信部と、
前記接続部を介して前記携帯電話機に指示信号を付与することにより、前記センサからの通報内容を外部に送信させる送信指示部と、
前記携帯電話機と無線通信を行うための通信回路とを備えることを特徴とするクレードル。
【請求項２】
前記接続部を介して、前記携帯電話機の保持データを取得するデータ取得部を備えることを特徴とする請求項１に記載のクレードル。
【請求項３】
前記監視領域を撮像する撮像部を備えることを特徴とする請求項１または２に記載のクレードル。
【請求項４】
前記送信指示部は、前記撮像部の撮像ズーム比を制御することを特徴とする請求項３に記載のクレードル。
【請求項５】
前記センサ通信部で受信した通報内容に応じて、前記携帯電話機と前記撮像部とのうち、少なくとも一方の向きを変化させる方向変化手段を備えることを特徴とする請求項１乃至４のいずれか１項に記載のクレードル。
【請求項６】
自己の異常振動または異常音を破壊予備現象として検知する破壊検知部を備えることを特徴とする請求項１乃至５のいずれか１項に記載のクレードル。
【請求項７】
前記センサが取り付けられた装置の制御指示情報をセンサに送信するセンサ指示部を備えることを特徴とする請求項１乃至６のいずれか１項に記載のクレードル。
【請求項８】
前記センサ通信部は、前記センサと無線通信を行うことを特徴とする請求項１乃至７のいずれか１項に記載のクレードル。
【請求項９】
前記センサは、外部通信網と接続されることを特徴とする請求項１乃至８のいずれか１項に記載のクレードル。
【請求項１０】
前記センサの検知内容を記憶するメモリを備えていることを特徴とする請求項１乃至９のいずれか１項に記載のクレードル。
【請求項１１】
前記センサは、監視領域における異常発生場所に関する特定位置情報を前記センサ通信部に送信することを特徴とする請求項１乃至１０のいずれか１項に記載のクレードル。
【請求項１２】
請求項１乃至１１のいずれか１項に記載のクレードルと、
前記クレードルからの送信情報を受信する情報受信手段および該情報受信手段の受信情報を管理する情報管理手段を有する管理装置とからなることを特徴とするセキュリティシステム。
【請求項１３】
請求項１乃至１１のいずれか１項に記載のクレードルにおける送信指示部からの指示信号を受信するクレードル通信部を含んでいることを特徴とする携帯電話機。
【請求項１４】
監視領域の状態を検知するセンサからの通報を、クレードルに設けられたセンサ通信部より受信するとともに、
携帯電話機と電気的に接続するために前記クレードルに設けられた接続部を介して前記携帯電話機に指示信号を付与することにより、前記センサからの通報内容を外部に送信する一方で、
前記クレードルに設けられた通信回路により、前記クレードルと前記携帯電話機との無線送信を行うことを特徴とする監視方法。
【請求項１５】
前記接続部を介して、前記携帯電話機の格納データを取得することを特徴とする請求項１４に記載の監視方法。
【請求項１６】
前記監視領域を撮像するために前記クレードルに設けられる撮像部を用いて、前記監視領域の状態を検知することを特徴とする請求項１４または１５に記載の監視方法。
【請求項１７】
前記撮像部の撮像ズーム比を変更することにより、前記監視領域の映像を拡大または縮小することを特徴とする請求項１６に記載の監視方法。
【請求項１８】
前記センサ通信部で受信した通報内容に応じて、前記携帯電話機と前記撮像部とのうち、少なくとも一方の向きを変化させることを特徴とする請求項１４乃至１７のいずれか１項に記載の監視方法。
【請求項１９】
前記クレードルにおける異常振動または異常音を破壊予備現象として検知することを特徴とする請求項１４乃至１８のいずれか１項に記載の監視方法。
【請求項２０】
前記センサが取り付けられた装置の制御指示情報をセンサに送信することを特徴とする請求項１４乃至１９のいずれか１項に記載の監視方法。
【請求項２１】
前記センサ通信部は、前記センサと無線通信を行うことを特徴とする請求項１４乃至２０のいずれか１項に記載の監視方法。
【請求項２２】
前記センサは、外部通信網と接続されていることを特徴とする請求項１４乃至２１のいずれか１項に記載の監視方法。
【請求項２３】
前記センサの検知内容をメモリに記憶することを特徴とする請求項１４乃至２２のいずれか１項に記載の監視方法。
【請求項２４】
前記センサは、監視領域における異常発生場所に関する特定位置情報を前記センサ通信部に送信することを特徴とする請求項１４乃至２３のいずれか１項に記載の監視方法。
【発明の詳細な説明】
【０００１】
【発明の属する技術分野】
本発明は、携帯電話機を利用することにより、各種センサからの通報内容を外部に送信する携帯電話機用クレードル、このクレードルと管理装置とからなるセキュリティシステムに関するものである。
【０００２】
【従来の技術】
携帯電話機の急速な普及と共にその性能は劇的に向上しており、本来的機能である通話機能の他に、各種の新機能を備えた携帯電話機が次々と市場に登場している。例えば、インターネット等の通信網に接続する通信機能，カメラとしての撮像機能，現在位置情報及び関連地図情報を取得する位置特定機能などを備えたものである。
【０００３】
このような携帯電話機は、利用者の帰宅時などの不使用時には、通常、クレードルと呼ばれる支持台に設置保管される。従来、携帯電話機用クレードルの機能は携帯電話機を安置する他、せいぜい携帯電話機を充電する程度であった。
【０００４】
【発明が解決しようとする課題】
このように、従来のクレードルは、携帯電話機のメンテナンスを行うのみであって、積極的に携帯電話機の機能を利用するものではなかった。ＰＤＡ（Personal Digital Assistant）用のクレードルでは、ＰＤＡの保持データをパーソナルコンピュータ等の外部装置に転送する機能を有するものが知られている。前述のように、近年の携帯電話機はＰＤＡをも凌ぐ機能を有しながら、これを利用するクレードルは提案されていない。
【０００５】
例えば、前記通信機能や撮像機能は、各種セキュリティシステムやホームコントロールシステムに不可欠のものであり、このようなシステムに携帯電話機の機能を有効活用することができれば、システムの簡略化やコストダウンに加えて、高度な情報連携サービスを提供することが可能になる。
【０００６】
本発明は、上記の問題点を解決するためになされたもので、その目的は、携帯電話機を設置するだけで、簡略な構成で多彩な機能を実現するクレードル、このクレードルと管理装置とからなるセキュリティシステムを提供することにある。
【０００７】
【課題を解決するための手段】
本発明に係るクレードルは、前記の課題を解決するために、携帯電話機を支持する携帯電話機支持部と、前記携帯電話機と電気的に接続される接続部と、監視領域の状態を検知するセンサからの通報を受信するセンサ通信部と、前記接続部を介して前記携帯電話機に指示信号を付与することにより、前記センサからの通報内容を外部に送信させる送信指示部とを備えることを特徴としている。
【０００８】
上記の構成において、監視領域の状態を検知するセンサとは、家屋への侵入者を検知することを目的として玄関等の各種扉や窓に設置される開閉センサ，火災を検知することを目的として発煙や異常な温度上昇を検知する火災センサ，屋内の人体検知や各種設備の異常を検知することを目的として照明，金庫，エアコン，冷蔵庫などに組み込まれる各種組み込みセンサ，屋外の不審者検知を目的として番犬ロボットやペットに取り付けられる赤外線センサやＣＣＤカメラなど、任意のセンサを含むものである。
【０００９】
上記の構成によれば、携帯電話機が携帯電話機支持部に設置されると、接続部によって、クレードルは携帯電話機と電気的に接続される。また、クレードルは、センサ通信部によって、監視領域の状態を検知するセンサからの通報を受信すると共に、送信指示部が上記接続部を介して携帯電話機に指示信号を付与することによって、携帯電話機に上記通報内容を外部送信させる。また、利用者は携帯電話機の操作部をユーザインタフェースとして利用することにより、クレードルに対する各種の情報入力や設定指示を行うことができる。また、携帯電話機の有するインターネット接続機能や撮像機能など各種の機能を利用することも可能になる。
【００１０】
これにより、携帯電話機の保管場所であって、遠距離通信手段やユーザインタフェースを持たない簡易な構成のクレードルを用いながら、インターネット接続やセキュリティサービスなど多彩な機能を実現することができる。
【００１１】
本発明に係るクレードルは、前記の課題を解決するために、上記構成において、前記接続部を介して、前記携帯電話機の保持データを取得するデータ取得部を備えることを特徴としている。
【００１２】
上記の構成によれば、クレードルは前記接続部を介して、予め携帯電話機に格納された各種データを取得することができる。例えば、クレードルは、利用者が外出先で携帯電話機に入力した指示情報や、携帯電話機が基地局等の通信網を介して得たデータ（例えば、通話履歴）を取得して、この取得データを提供機能に反映させることが可能になる。
【００１３】
これにより、利用者が外出先等でクレードルへの指示・設定内容を携帯電話機に予め入力しておいたり、携帯電話機の各種履歴情報を考慮して利用者のニーズに適合した機能を提供することができる。
【００１４】
本発明に係るクレードルは、前記の課題を解決するために、上記構成において、前記監視領域を撮像する撮像部を備えることを特徴としている。
【００１５】
上記の構成によれば、携帯電話機に撮像部が備えられていない場合であっても、クレードルは監視領域の撮像を行うことができる。クレードルに備えられる撮像部は、デジタルカメラなどの静止画撮像手段に限られるものではなく、各種ビデオカメラなどの動画撮像手段であってもよい。
【００１６】
これにより、携帯電話機に撮像部が備えられていない場合であっても、不審箇所の撮像を行ったり、撮像データを外部に送信することができる。
【００１７】
本発明に係るクレードルは、前記の課題を解決するために、上記構成において、前記センサ通信部で受信した通報内容に応じて、前記携帯電話機と前記撮像部とのうち、少なくとも一方の向きを変化させる方向変化手段を備えることを特徴としている。
【００１８】
上記の構成において、携帯電話機の向きとは、特に、携帯電話機に備えられたマイクロホンやカメラなどの各種センサの向きを意味する。また、方向変化手段としては、各種モータやピストンなど任意の構成を採用することができる。
【００１９】
上記の構成によれば、例えば、センサ通信部で受信した通報内容から不審箇所を特定して、不審箇所周辺の音声を携帯電話機に備えられたマイクロホンで検出したり、不審箇所周辺の光景を携帯電話機やクレードルに備えられた撮像部で撮像することが可能になる。
【００２０】
これにより、不審箇所周辺の情報を的確に取得することが可能になるので、高度なセキュリティ機能を実現することができる。
【００２１】
本発明に係るクレードルは、前記の課題を解決するために、上記構成において、自己の異常振動または異常音を破壊予備現象として検知する破壊検知部を備えることを特徴としている。
【００２２】
上記の構成によれば、クレードルは異常振動または異常音により、不審者のクレードルに対する攻撃や破壊工作を検知することができる。
【００２３】
これにより、不審者の攻撃や破壊工作を外部に通報することにより、セキュリティ機能が無能化されることを回避することができる。
【００２４】
本発明に係るクレードルは、前記の課題を解決するために、上記構成において、前記センサが取り付けられた装置の制御指示情報をセンサに送信するセンサ指示部を備えることを特徴としている。
【００２５】
上記の構成によれば、センサ指示部は、センサが取り付けられた装置の制御指示情報をセンサに送信する。これを受信したセンサは、制御指示情報の内容に基づいて直接的に、装置の制御部に上記指示情報を付与することにより間接的に、装置を制御する。
【００２６】
これにより、利用者の指示やセンサからの通報に基づいて各種装置を制御することができるので、ホームコントロールなどを含む高度なセキュリティ機能を提供することが可能になる。
【００２７】
本発明に係るクレードルは、前記の課題を解決するために、上記構成において、前記センサ通信部は、前記センサと無線通信を行うことを特徴としている。
【００２８】
上記の構成によれば、複雑な配線を設ける必要がないので、多数のセンサであっても容易に設置することができる。また、複数のクレードルが存在する場合には、クレードル同士で無線通信を行うことにより、各種の情報交換や他のクレードルへの指示を行うことができる。
【００２９】
本発明に係るクレードルは、前記の課題を解決するために、上記構成において、前記センサは、外部通信網と接続されることを特徴としている。
【００３０】
上記の構成によれば、センサはインターネット等の外部通信網と接続されるので、クレードルに携帯電話機が設置されていない緊急時であっても、クレードルは、センサを介して外部に各種通報を行うことができる。また、クレードルやセンサは、上記通信網を介して各種の情報収集を行うことが可能になる。
【００３１】
本発明に係るセキュリティシステムは、前記の課題を解決するために、上記構成のクレードルと、上記クレードルからの送信情報を受信する情報受信手段および該情報受信手段の受信情報を管理する情報管理手段を有する管理装置とからなることを特徴としている。
【００３２】
上記の構成において、クレードルからの送信情報とは、クレードルの指示に基づいて送信される情報全てを含むものであり、携帯電話機やセンサなどいずれの送信手段から送信されるかは問わない。
【００３３】
上記の構成によれば、情報管理手段は、リアルタイムあるいは事後的に、クレードルからの送信情報を解析することができるので、利用者や第三者に多彩な情報を提供することが可能になる。
【００３４】
【発明の実施の形態】
図面に基づいて、本発明の一実施形態に係るセキュリティシステムについて説明する。
【００３５】
［１．システム構成］
図１は、上記セキュリティシステムの概略構成を示すブロック図である。同図に示されるように、上記セキュリティシステムは、携帯電話機１１が接続されているクレードル１０，携帯電話機１１からの送信情報を受信・管理する管理センタ１３（管理装置），監視領域の状態を検知するセンサ１２から構成されている。携帯電話機１１と管理センタ１３との間は電話通信網あるいはインターネット網で接続されており、クレードル１０とセンサ１２との間は後述の近距離無線通信によって接続されている。
【００３６】
［２．クレードル及び携帯電話機の構成］
図２はクレードル１０の概略構成を示すブロック図である。同図に示されるように、クレードル１０は、ＣＰＵ（Control Processing Unit ）２０（送信指示部，センサ指示部），メモリ２１，Ｉ／Ｏ（Input/Output）インタフェース２２，電源回路２３，通信回路２４（センサ通信部），アンテナ２５（センサ通信部），モータ駆動部２６（方向変化手段），モータ２７（方向変化手段），携帯電話機検出回路２８，及び破壊検知センサ２９（破壊検知部）を備えている。上記構成のうち、メモリ２１，Ｉ／Ｏインタフェース２２，電源回路２３，通信回路２４，モータ駆動部２６，携帯電話機検出回路２８，及び破壊検知センサ２９はそれぞれバスを通じてＣＰＵ２０に接続されている。また、クレードル１０は、成形樹脂などからなる筐体で覆われている。
【００３７】
ＣＰＵ２０は、例えばマイクロコンピュータによって構成されており、その演算機能に基づいて、情報の収集・加工や各種制御回路への命令指示を行うものである。これにより、ＣＰＵ２０は、クレードル１０全体の制御を司っている。
【００３８】
メモリ２１は、ＲＡＭ（Random Access Memory）やＲＯＭ（Read Only Memory）などの半導体メモリや、磁気ディスクドライブや光ディスクドライブなどを記録媒体とする情報記録デバイスによって構成されており、ＣＰＵ２０の制御のもとで各種の情報を記憶するものである。メモリ２１は、ＣＰＵ２０に各種制御や演算を行わせるためのプログラムやデータを記憶している。
【００３９】
Ｉ／Ｏインタフェース２２は、ＣＰＵ２０の制御のもとで、外部機器とデータ交信を行うためのインタフェース回路である。Ｉ／Ｏインタフェース２２は、携帯電話機１１と通信を行うための各種インタフェース回路及び接続用コネクタを備えている。
【００４０】
電源回路２３は、ＣＰＵ２０を初めとするクレードル１０全体の構成に電力を供給するものであり、各種の変圧回路，安定化回路などから構成されている。また、電源回路２３は、後述のコネクタを通じて携帯電話機１１に充電を行うための充電機能も有している。
【００４１】
通信回路２４及びアンテナ２５は、クレードル１０がセンサ１２などと近距離無線通信（無線通信）を行うための回路及びアンテナであり、ここでは、通信回路２４及びアンテナ２５は、２．４ＧＨｚ（ギガヘルツ）周波数の１１ＭｂｐｓＬＡＮ（Local Area Network) 規格やＢｌｕｅ−Ｔｏｏｔｈ（登録商標）規格の微弱電波を用いて無線通信を行う。これら近距離無線通信規格の標準的な通信可能距離は、屋内で数十〜数百メートル程度である。
【００４２】
モータ駆動部２６及びモータ２７は、後述のように、センサ１２からの通報内容に応じて、携帯電話機１１やクレードル１０の筐体３０に備えられたカメラの向きを移動させるための駆動手段である。モータ駆動部２６は、ＣＰＵ２０の制御のもとでモータ２７を制御する回路である。
【００４３】
携帯電話機検出回路２８は、クレードル１０に携帯電話機１１が設置されているか否かを検出するものであり、後述のように、検出部６３の検出信号を取得する回路から構成されている。ＣＰＵ２０は、携帯電話機検出回路２８によって携帯電話機１１が設置されている場合にのみ、Ｉ／Ｏインタフェース２２を介した各種信号の送受信や電力の供給を行う。
【００４４】
破壊検知センサ２９は、振動センサまたは音センサによって構成されており、異常振動や異常音を検知することによって、侵入者のクレードル１０に対する攻撃や破壊工作を検知するための構成である。
【００４５】
図３は、クレードル１０の筐体の外観例を示す説明図である。同図に示されるように、筐体３０は、携帯電話機１１を支持するための凹部３１（携帯電話機支持部）を有している。凹部３１の底面には、携帯電話機１１と電気的接続を確保するための図略のコネクタ（接続部，データ取得部）が設けられている。このコネクタは、クレードル１０のＩ／Ｏインタフェース２２を通じて、ＣＰＵ２０に接続されている。また、上記コネクタは、クレードル１０かの電源回路２３から携帯電話機１１に電力を供給する役割も担っている。同図の矢印で示されるように、筐体３０は、クレードル１０のモータ駆動部２６及びモータ２７の働きによって、水平方向に自在に回動することができる。
【００４６】
図４は、クレードル１０の筐体の他の外観例を示す説明図である。同図に示される筐体４０は、携帯電話機１１を支持する凹部４１の他に、カメラ部４２（撮像部）とその回転台座４３を備えている。回転台座４３は、クレードル１０のモータ駆動部２６及びモータ２７の働きによって、水平方向に自在に回動することができる。したがって、カメラ部４２の撮像方向を３６０度変化させることが可能である。また、カメラ部４２には光学ズーム機能が備えられており、クレードル１０のＣＰＵ２０によって、そのズーム倍率が制御される。さらに、ＣＰＵ２０は、画像処理によって、カメラ部４２の撮影画像にいわゆるデジタルズームを施すこともできる。凹部４１の底面には、携帯電話機１１と電気的接続を確保するための図略のコネクタが設けられており、このコネクタを通じて、カメラ部４２の撮影画像データは携帯電話機１１に提供される。
【００４７】
図１０は、筐体４０の内部構成を示すブロック図である。同図において、図２と共通する部材には同一の部材番号を付してその説明を省略する。図１０におけるカメラ駆動部１２８は、ＣＰＵ２０の制御のもとで、カメラ部４２を駆動する回路である。例えば、カメラ駆動部１２８は、撮影タイミング，撮影枚数，撮影解像度，ズーム設定などをカメラ部４２に指示すると共に、カメラ部４２に駆動電力を供給する。また、モータ２７は回転台座４３に接続されており、ＣＰＵ２０は回転台座４３を回動させることによって、カメラ部４２の撮像方向を制御する。
【００４８】
図５は、クレードル１０の筐体の更なる外観例を示す説明図である。同図に示される筐体５０は、携帯電話機１１を支持する凹部５１の他に、魚眼レンズとの一体構成により周囲を３６０度視野で撮像するカメラ部５２を備えている。カメラ部５２は、魚眼レンズに起因する撮影画像の歪みをソフトウェア的に補正する補正回路も備えている。カメラ部５２が各種のズーム機能を備える点、凹部５１の底面には、携帯電話機１１と電気的接続を確保するための図略のコネクタが設けられている点、このコネクタを通じて、カメラ部５２の撮影画像データが携帯電話機１１に提供される点については、図４の場合と同様である。
【００４９】
図１１は、筐体５０の内部構成を示すブロック図である。同図において、図２及び図１０と共通する部材には同一の部材番号を付してその説明を省略する。図１１におけるカメラ駆動部１１０は、ＣＰＵ２０の制御のもとで、カメラ部５２を駆動する回路である。例えば、カメラ駆動部１１０は、撮影タイミング，撮影枚数，撮影解像度，ズーム設定などをカメラ部５２に指示すると共に、カメラ部５２に駆動電力を供給する。また、カメラ駆動部１１０は、カメラ部５２の前記補正回路に対し、補正処理に関する指示を行う。
【００５０】
図６は、前記コネクタの形態を示す説明図である。同図に示されるように、凹部６１の底部には、コネクタ６２が設けられており、このコネクタ６２は携帯電話機１１に備えられたコネクタと嵌合する形状となっている。つまり、コネクタ６２と携帯電話機１１側のコネクタは嵌合して電気的な接続を保った状態で、各種データの送受信や電力の供給を行う。
【００５１】
また、凹部６１には、コネクタ６２の他に、鍵状突起の下動によって携帯電話機１１の設置を検出する検出部６３，携帯電話機１１を安定的に保持するための一対の押さえバネ６４が設けられている。これにより、携帯電話機１１を凹部６１に嵌入させると、押さえバネ６４によって携帯電話機１１が保持されると共に、検出部６３によって携帯電話機１１の存在が検出される。検出部６３の検出結果は、クレードル１０の携帯電話機検出回路２８に通知され、クレードル１０と携帯電話機１１との間でコネクタ６２を介した信号の送受信や電力供給が開始される。
【００５２】
なお、図６では、筐体６０と凹部６１とを分離可能な構成として例示したので、両者の電気的接続を担保するための凹部コネクタ６５・６６をそれぞれ設けている。また、コネクタ６２の設置位置は、必ずしも凹部６１の底部に限られず、例えば筐体が携帯電話機１１を水平姿勢で支持する形態である場合などには、クレードル１０から引き出したケーブルの先端にコネクタ６２を設けてもよい。
【００５３】
もちろん、クレードル１０の筐体形態は、図３乃至図６に示したものに限られず、デザイン的観点や利用者の趣向に応じて、動物やロボットの手をモチーフとした形状など任意の形態を採用することができる。例えば、クレードル１０への携帯電話機１１の設置に応じて、動物が鳴いたり、ロボットの手を動かすようにすれば、利用者の関心を高めることができる。
【００５４】
図７は、携帯電話機１１の概略構成を示すブロック図である。同図に示されるように、携帯電話機１１は、ＣＰＵ７０，メモリ７１，Ｉ／Ｏインタフェース７２，携帯電話高周波回路７３，携帯電話高周波用アンテナ７４，近距離無線回路７５，近距離無線用アンテナ７６，ＤＳＰ７７，ＰＣＭコーデック７８，スピーカ７９，マイクロホン８０，カメラ部８１，表示部８２，および操作部８３から構成されている。アンテナやユーザインターフェースを除く構成は互いにバスで接続されている。本実施形態において、携帯電話機１１は、通話機能だけでなく、撮像、インターネット接続、位置情報の検出、音楽の再生など多彩な機能を有するものである。
【００５５】
ＣＰＵ７０は、例えばマイクロコンピュータによって構成されており、その演算機能に基づいて、情報の収集・加工や各種制御回路への命令指示を行うものである。これにより、ＣＰＵ７０は、携帯電話機１１全体の制御を司っている。
【００５６】
メモリ７１は、ＲＡＭやＲＯＭなどの半導体メモリや、磁気ディスクドライブや光ディスクドライブなどを記録媒体とする情報記録デバイスによって構成されており、ＣＰＵ７０の制御のもとで各種の情報を記憶するものである。メモリ７１は、ＣＰＵ７０に各種制御や演算を行わせるためのプログラムやデータを記憶している。
【００５７】
Ｉ／Ｏインタフェース７２は、ＣＰＵ７０の制御のもとで、外部機器とデータ交信を行うためのインタフェース回路である。Ｉ／Ｏインタフェース７２は、クレードル１０と通信を行うための接続コネクタ及びインタフェース回路を備えている。
【００５８】
携帯電話高周波回路７３は、携帯電話機１１が基地局と交信を行うための高周波を発振・制御する回路である。典型的には８００ＭＨｚ（メガヘルツ）または１．５ＧＨｚ（ギガヘルツ）の周波数を有する電波が発振される。この電波を用いて、携帯電話機１１は数十キロメートル離れた基地局とも交信を行うことができる。携帯電話高周波用アンテナ７４は、上記電波発振に用いられる金属アンテナである。
【００５９】
近距離無線回路７５は、センサ１２や、クレードル１０の通信回路２４と近距離無線通信を行うための回路であり、周波数が２．４ＧＨｚ（ギガヘルツ）の無線ＬＡＮ規格や、Ｂｌｕｅ−Ｔｏｏｔｈ規格の微弱電波を用いるものである。これにより、携帯電話機１１は、センサ１２やクレードル１０と直接的に近距離無線通信を行うことができる。近距離無線用アンテナ７６は、上記電波発振に用いられる金属アンテナである。
【００６０】
ＤＳＰ７７は、デジタルシグナルプロセッサであって、ＣＰＵ７０の制御のもとで、各種のデジタル信号処理を行うものである。
【００６１】
ＰＣＭコーデック７８は、アナログ信号をデジタル信号に変換する符号化処理及びデジタル信号をアナログ信号に変換する復号化処理を行う回路である。ＰＣＭコーデック７８は、マイクロホン８０で検出した音声信号（アナログ信号）をデジタル信号に変換してＤＳＰ７７に伝送したり、ＤＳＰ７７から伝送されたデジタル信号を音声信号に変換してスピーカ７９に出力する。
【００６２】
スピーカ７９は、ＰＣＭコーデック７８から出力された電気的な音声信号を実際の音声として出力する構成である。利用者は、スピーカ７９を通じて、携帯電話機１１の音声出力を確認することができる。
【００６３】
マイクロホン８０は、利用者の発話などの音声を電気的な音声信号として検出する構成である。利用者は、マイクロホン８０に向かって発話することにより、携帯電話機１１による通話を行うことができる。
【００６４】
カメラ部８１は、光学レンズセット，ＣＣＤ（Charge Coupled Device ）カメラ，及びその駆動回路によって構成されている。カメラ部８１は、光学レンズセットでＣＣＤ上に焦点を結ぶことによって撮像を行う。また、カメラ部８１は、各光学レンズの位置を調整することにより、撮像のズーム比を制御する機能も有している。
【００６５】
表示部８２は、ドットマトリクス型のＬＣＤ（Liquid Crystal Display）によって構成されている。表示部８２として、利用者に情報を提示できる表示デバイスであれば、ＬＣＤの他にもＬＥＤ（Light Emitting Diode）ディスプレイなど任意のデバイスを採用することができる。
【００６６】
操作部８３は、テンキーや十字型キーなどのキーボードからなるユーザインタフェースである。操作部８３として各種のポインティングデバイス等を採用することもできる。
【００６７】
このような携帯電話機１１は、今日、利用者に比較的低価格で提供され、通話の他にも、パケット通信方式を用いた情報サービスや音楽・ゲームの配信サービス、電子商取引のサービスなど、種々のサービス提供に利用されている。
【００６８】
［３．センサの構成］
センサ１２は、監視領域の状態を検知する複数のセンサであり、本実施形態では、家屋内外の様々な監視ポイントに設けられている。前述のように、センサ１２とクレードル１０とは近距離無線通信を行うことができるので、センサ１２が多数存在する場合であっても複雑な配線を施す必要がない。したがって、センサ１２の取り付け・管理を容易に行うことができる。複数のセンサ１２は、固有のＩＤ（IDentification）番号を有しており、このＩＤ番号の通知によって、クレードル１０は各センサ１２を特定することができる。
【００６９】
監視領域に設置されるセンサ１２の種類や数量は、セキュリティシステムの目的や経済性の観点から自由に定めることができる。例えば、家屋への侵入者を検知することを目的として、玄関等の各種扉や窓に設置される開閉センサ、火災を検知することを目的として、発煙や異常な温度上昇を検知する火災センサ、屋内の人体検知や各種設備の異常を検知することを目的として、照明，金庫，エアコン，冷蔵庫などに組み込まれる各種組み込みセンサ、屋外の不審者検知を目的として、番犬ロボットやペットに取り付けられる赤外線センサやＣＣＤカメラなど任意の検知手段を採用することができる。
【００７０】
また、センサ１２は、単なる状態検知のみならず、センサ１２が取り付けられた装置を制御する制御回路を備えることが好ましい。例えば前記組み込みセンサであれば、照明のオン／オフ，金庫の緊急ロックのオン／オフ，エアコンや冷蔵庫の温度等を制御できることが好ましい。これにより、クレードル１０は、センサ１２からの情報を受け取るだけでなく、センサ１２を通じて、各種機器の制御を行うことが可能になる。この結果、多彩なセキュリティサービス及びホームコントロールサービスを提供することができる。
【００７１】
これらセンサ１２は、微弱電波によって通信するので、回路構成が簡単で小型であり、壁や天井など任意の場所に設置できる。また、比較的、消費電力が少ないので、例えば市販のボタン型電池等によって長期間駆動することができる。
【００７２】
また、センサ１２は、クレードル１０との近距離無線通信を行う他、独自の通信手段を備えていてもよく、例えば有線の電話回線を通じて、インターネットなどの通信網（外部通信網）にアクセスできるものであってもよい。例えば、パーソナルコンピュータと近距離無線通信用のインタフェース（例えば無線ＬＡＮカード，Ｂｌｕｅ−Ｔｏｏｔｈカード）との組み合わせや、ＬＣＤ，タッチパネルセンサ，ユーザインタフェース，スピーカ，マイク等を筐体内に内蔵する一体型インターネットアプライアンス端末を、センサ１２として採用してもよい。この場合、携帯電話機１１の利用者は、クレードル１０及びセンサ１２を介してインターネットにアクセスして各種情報収集を行うことが容易になる。つまり、利用者は、外出時であるか在宅時であるかを問わず、携帯電話機１１に統一的な操作を行うことにより、インターネットにアクセスすることができる。
【００７３】
［４．管理センタの構成］
図８は、管理センタ１３の概略構成を示すブロック図である。同図に示されるように、管理センタ１３は、インターフェースとしての入出力バス９０を介して、センタ制御部９１（情報管理手段）及びセンタ通信部９２（情報受信手段）と、記憶部９３，ＣＲＴ（Cathode Ray Tube）９４，キーボード９５，及びマウス９６が接続された構成である。
【００７４】
センタ制御部９１は、例えばマイクロコンピュータによって構成されており、各家庭のセキュリティシステムからの情報収集及びその加工を行うと同時に、管理センタ１３の制御を司っている。
【００７５】
センタ通信部９２は、センタ制御部９１の制御のもとで、携帯電話機１１やクレードル１０との通信を行うための構成であって、外部とのインターフェースとして機能するものである。なお、センタ通信部９２と携帯電話機１１は直接的な通信を行ってもよいが、通常、各種の電話基地局を介して通信する。
【００７６】
記憶部９３は、ＲＡＭやＲＯＭに代表される半導体メモリや、磁気ディスクドライブや光ディスクドライブに代表される各種記録デバイスによって構成されており、センタ制御部９１の制御のもとで各種情報を記憶する構成である。記憶部９３は、複数のセキュリティシステムから送信された情報を記録するデータベースとして機能するだけでなく、センタ制御部９１に各種の制御や演算を行わせるためのプログラムを記憶している。
【００７７】
ＣＲＴ９４，キーボード９５，マウス９６はいずれも公知のユーザインタフェースであり、管理者が管理センタ１３に各種の指示を行ったり、記憶部９３における記録内容の確認や修正を行うために用いられる。各種情報は、これらユーザインタフェースを通じて入力され、記憶部９３に記憶される。
【００７８】
［５．携帯電話機設置時の動作例］
次に、図９を用いて、携帯電話機１１をクレードル１０に設置している場合における前記セキュリティシステムの動作例について説明する。このような場合としては、利用者の在宅時以外にも、利用者が複数の携帯電話機１１を所有しており、いずれかの携帯電話機１１をクレードル１０に設置しておく場合等がある。      【００７９】
家屋内外に設けられた複数のセンサ１２ａ〜１２ｅは、それぞれ、窓１００の開閉を検知する開閉センサ（１２ａ），玄関扉１０１の開閉を検知する開閉センサ（１２ｂ），室内の発煙や異常な温度上昇を検知する火災センサ（１２ｃ），赤外線などにより室内の人体存在を検知する人体センサ（１２ｄ），照明に組み込まれ、そのオン／オフを検知するオン／オフセンサ（１２ｅ）である。
【００８０】
センサ１２ａ〜１２ｅのうち、センサ１２ｅは、照明の明るさやオン／オフを制御する機能も有している。これにより、携帯電話機１１及びクレードル１０はセンサ１２ｅを通じて、照明のオン／オフ状態を知るだけでなく、照明の動作を直接的に制御することができる。例えば、在宅している利用者が、携帯電話機１１の操作部８３への入力指示を行うことにより、全ての照明（例えば、玄関，廊下，リビング）を順次あるいは一斉に点灯させることができる。このような指示は、利用者があらかじめ外出先で携帯電話機１１に入力しておき、帰宅時における携帯電話機１１のクレードル１０への設置時に、携帯電話機１１及びクレードル１０から、各センサ１２に指示されるものとしてもよい。センサ１２によって制御される機器の例としては、照明の他にも、エアコン，冷蔵庫，金庫など種々の機器を挙げることができる。
【００８１】
このようなセンサ１２は、監視領域の異常（例えば、扉や窓の開閉，室内の発煙）の存在を常時監視しており、近距離無線通信によって、監視結果を定期的にまたは異常発生時は即座に、クレードル１０に通報する。
【００８２】
通信回路２４を通じて、上記通報を受けたクレードル１０のＣＰＵ２０は、通報データをＩ／Ｏインタフェース２２から携帯電話機１１に転送し、携帯電話機１１のＣＰＵ７０に、上記通報データを管理センタ１３に送信するように指示する。
【００８３】
携帯電話機１１から送信された通報データを受信した管理センタ１３は、センタ制御部９１の制御に従い、上記通報データを記憶部９３に記憶する。管理センタ１３は、利用者や警備会社（サービス提供業者）に上記通報データの内容を知らせることにより、侵入者の存在を通報することができる。
【００８４】
本実施形態のクレードル１０は、センサ１２からの通報内容に応じて、モータ駆動部２６及びモータ２７を駆動して、携帯電話機１１の向きを変化させるものである。具体的には、携帯電話機１１のマイクロホン８０やカメラ部８１が不審者の侵入や急激な温度上昇などの異常を検知したセンサ１２の方向を向くようにクレードル１０を回動させる。なお、センサ１２の赤外線機能やレーダ機能によって、異常発生場所を正確に特定できる場合には、センサ１２はクレードル１０に該特定位置情報を送信することが好ましい。この場合、クレードル１０は、異常を検知したセンサ１２の方向ではなく、特定された異常発生場所に携帯電話機１１のマイクロホン８０やカメラ部８１を向けるように回動する。これにより、監視領域における異常の様子をマイクロホン８０の音声検出やカメラ部８１の撮像によって把握することができる。
【００８５】
また、クレードル１０のＣＰＵ２０は、Ｉ／Ｏインタフェース２２から制御データを送信することにより、カメラ部８１の撮像ズーム比を制御することも好ましい。
【００８６】
さらに、センサ１２がインターネットなどの外部通信網にアクセスできる構成であれば、外部からクレードル１０の回動やカメラ部８１の撮像ズーム比を制御することも可能である。
【００８７】
なお、侵入者がクレードル１０の存在に気づいた場合には、通報阻止を目的として、クレードル１０を攻撃する事態が想定される。したがって、クレードル１０のＣＰＵ２０は、破壊検知センサ２９が異常振動や異常音を検知したら、攻撃を受けているものとして、管理センタ１３に通報することが好ましい。
【００８８】
この場合、クレードル１０に携帯電話機１１が接続されていなければ、クレードル１０は管理センタ１３に直接的な通報はできない。しかし、近隣に設置された他のクレードルと近距離無線通信を行うことによって、他のクレードルを介して管理センタ１３に通報することができる。このように、利用者は複数のクレードル１０を所有すれば、いずれかのクレードル１０に情報を集中させることによって、管理センタ１３との通信を統合的に行うことが可能になる。
【００８９】
また、センサ１２がインターネットなどの通信網にアクセスできる構成であれば、センサ１２を介して管理センタ１３に通報してもよい。管理センタ１３への通報手段が全く存在しないときには、クレードル１０は、破壊検知センサ２９の異常検知内容と異常検知時刻をメモリ２１に記憶しておき、後の携帯電話機１１設置時に、この内容を管理センタ１３に通報することが好ましい。
【００９０】
［６．携帯電話機を設置していない時の動作例］
次に、携帯電話機１１をクレードル１０に設置していない場合における前記セキュリティシステムの動作例について説明する。例えば、利用者が外出時に携帯電話機１１を携帯している場合などがある。
【００９１】
このような場合、クレードル１０は管理センタ１３とは通信できないが、前記近距離無線を通じて、近傍の携帯電話機１１と通信することができる。例えば、外出直後や帰宅直前などのように、利用者がクレードル１０の近辺に位置する場合には、クレードル１０と携帯電話機１１は通信可能であるので、セキュリティシステムは次のようなサービスを提供することができる。
【００９２】
利用者は、外出先で携帯電話機１１に組み込まれたアプリケーションソフトウェアを起動して、表示部８２の表示を確認しながら操作部８３に入力操作を行うことにより、予め玄関扉の施錠／開錠を指示しておく。もちろん、施錠／開錠の指示対象は玄関扉に限られず、勝手口の扉，車庫のシャッターや、これらの組み合わせなど任意のものとすることができる。車庫のシャッターに関しては、施錠／開錠のみならず、開閉動作を指示しておくことも好ましい。
【００９３】
帰宅直前に、クレードル１０と携帯電話機１１とが通信可能な距離となれば、携帯電話機１１からクレードル１０に前記指示内容が送信され、クレードル１０は玄関扉１０１の施錠／開錠を制御するセンサ１２ｂに施錠／開錠の指示を行う。センサ１２ｂは、ソレノイド等の可動部から構成されるキーユニットと接続されており、このキーユニットはセンサ１２ｂの指示に基づいて施錠／開錠を行う。確認のため、センサ１２ｂは施錠／開錠の状態を検知し、クレードル１０を介して検知結果を携帯電話機１１や管理センタ１３に送信することが好ましい。これにより、利用者は携帯電話機１１の表示部８２によって施錠／開錠できなかった箇所を確認することができる。
【００９４】
また、クレードル１０は、インターネット等にアクセス可能なセンサ１２や近隣に設置された他のクレードルが存在する場合には、これらと近距離無線通信を行うことができる。これにより、携帯電話機１１の設置状態や、携帯電話機１１との通信状態から把握した利用者の外出・帰宅情報を管理センタ１３などに通知することができる。例えば、管理センタ１３は、携帯電話機１１やセンサ１２への指示などを通じて、利用者の帰宅と同時にセンサ１２の取り付けられたインターネット機器の電源をオンにして、最新ニュース，テレビ番組表，家族からのメモ，電子メールの着信などを利用者に知らせたり、エアコンの電源をオンにすること等が可能になる。
【００９５】
なお、前述のように、クレードル１０の破壊検知センサ２９が異常振動や異常音を検知したら、攻撃を受けているものとして管理センタ１３に通報することが好ましいが、クレードル１０に携帯電話機１１が接続されていなければ、携帯電話機１１を用いた直接的な通報は不可能である。しかし、このような場合であっても、インターネット等にアクセス可能なセンサ１２や近隣に設置された他のクレードルが存在すれば、これらと近距離無線通信を行うことにより管理センタ１３に上記通報を行うことができる。
【００９６】
管理センタ１３への通報手段が全く存在しないときには、クレードル１０のＣＰＵ２０は、破壊検知センサ２９の異常検知内容と異常検知時刻をメモリ２１に記憶しておき、後の携帯電話機１１設置時に、上記内容を管理センタ１３に通報することが好ましい。
【００９７】
また、クレードル１０は、何らかの異常を検知した場合には、携帯電話機１１との近距離無線通信を通じて、帰宅直前の利用者に異常を通報することが好ましい。これにより、利用者が不用意に帰宅して侵入者と遭遇するなどの２次被害を回避することができる。
【００９８】
［７．他のサービス例］
管理センタ１３のセンタ制御部９１は、リアルタイムあるいは事後的に、クレードル１０からの通報データを解析することにより、警備サービスの他にも、多彩なサービスを提供することができる。例えば、次のような福祉サービスを提供できる。
【００９９】
独居老人（利用者）の居住家屋にクレードル１０，携帯電話機１１，センサ１を設置しておき、玄関扉の開閉，室内の人物存在，冷蔵庫の開閉，その他家電製品の使用状況などを検知・通報する。管理センタ１３は、記憶部９３に記憶された通報データを解析することによって、利用者の生活状態を推定することができる。例えば、利用者の外出時刻や帰宅時刻の他、照明や家電製品の使用状況によって、利用者が健康に生活しているか否かを判定する。他にも、利用者と同居するペット型ロボット等にセンサ１２を取り付け、管理センタ１３及びクレードル１０の指示に基づいてペット型ロボットを操作した場合における利用者の応答を検知することなどもできる。
【０１００】
管理センタ１３は、これらの情報を利用者の家族，福祉サービス提供業者，地方自治体などに提供する。本サービス例において、通報データの詳細な解析を行うのは、クレードル１０ではなく管理センタ１３であるから、比較的簡易な構成のクレードル１０によって利用者の監視を実現することができる。
【０１０１】
［８．補足］
以上、本実施形態のセキュリティシステムは、家屋の監視を目的としており、クレードル１０及びセンサ１２は、一般家屋に設置されているものとして説明を行ったが、本発明の適用範囲はこれに限られるものではない。例えば、本発明のクレードルやセキュリティシステムは、工場，倉庫，自動車，列車，船舶，店舗，各種施設など任意の領域監視に適用することができる。
【０１０２】
最後に、自動車のへ適用について簡単に説明しておく。従来オートコンピュータなどの名称で呼ばれ、インターネット接続やネットワークを通じた車両監視を目的とする車載端末が市販されている。しかし、これらは固有の通信手段を備えるので構成が複雑となり、高価なものとなっていた。この高コスト構造は、上記車載端末を車両に標準搭載する際の大きな障害となっていた。また、車内における携帯電話機１１の保管には、別途携帯電話機用ホルダーや充電器を設置することが一般的であった。
【０１０３】
本発明のクレードルやセキュリティシステムを自動車に適用すれば、固有の通信手段は不要になるので、車載端末の構成を簡易化して、コストを抑制することができる。また、利用者にとっては、自動車内でのインターネット接続や車両監視のみを目的として、新たな通信回線を契約・保有する負担がなくなる。これにより、利用者は乗車時に携帯電話機１１をクレードル１０に設置するだけで、家屋と同様のセキュリティサービスを受けることができる。例えば、ドアロックを行うだけで、降車を管理センタ１３に通知することが可能になる。
【０１０４】
【発明の効果】
本発明に係るクレードルは、以上のように、携帯電話機を支持する携帯電話機支持部と、前記携帯電話機と電気的に接続される接続部と、監視領域の状態を検知するセンサからの通報を受信するセンサ通信部と、前記接続部を介して前記携帯電話機に指示信号を付与することにより、前記センサからの通報内容を外部に送信させる送信指示部とを備える構成である。
【０１０５】
それゆえ、携帯電話機が携帯電話機支持部に設置されると、接続部によって、クレードルは携帯電話機と電気的に接続される。また、クレードルは、センサ通信部によって、監視領域の状態を検知するセンサからの通報を受信すると共に、送信指示部が上記接続部を介して携帯電話機に指示信号を付与することによって、携帯電話機に上記通報内容を外部送信させる。
【０１０６】
これにより、携帯電話機の保管場所であって、遠距離通信手段やユーザインタフェースを持たない簡易な構成のクレードルを用いながら、インターネット接続やセキュリティサービスなど多彩な機能を実現することができるという効果を奏する。
【０１０７】
本発明に係るクレードルは、以上のように、上記構成において、前記接続部を介して、前記携帯電話機の保持データを取得するデータ取得部を備える構成である。
【０１０８】
それゆえ、クレードルは前記接続部を介して、予め携帯電話機に格納された各種データを取得することができる。
【０１０９】
これにより、利用者が外出先等でクレードルへの指示・設定内容を携帯電話機に予め入力しておいたり、携帯電話機の各種履歴情報を考慮して利用者のニーズに適合した機能を提供することができるという効果を奏する。
【０１１０】
本発明に係るクレードルは、以上のように、上記構成において、前記監視領域を撮像する撮像部を備える構成である。
【０１１１】
それゆえ、携帯電話機に撮像部が備えられていない場合であっても、クレードルは監視領域の撮像を行うことができる。
【０１１２】
これにより、携帯電話機に撮像部が備えられていない場合であっても、不審箇所の撮像を行ったり、撮像データを外部に送信することができるという効果を奏する。
【０１１３】
本発明に係るクレードルは、以上のように、上記構成において、前記センサ通信部で受信した通報内容に応じて、前記携帯電話機と前記撮像部とのうち、少なくとも一方の向きを変化させる方向変化手段を備える構成である。
【０１１４】
それゆえ、例えば、センサ通信部で受信した通報内容から不審箇所を特定して、不審箇所周辺の音声を携帯電話機に備えられたマイクロホンで検出したり、不審箇所周辺の光景を携帯電話機やクレードルに備えられた撮像部で撮像することが可能になる。
【０１１５】
これにより、不審箇所周辺の情報を的確に取得することが可能になるので、高度なセキュリティ機能を実現することができるという効果を奏する。
【０１１６】
本発明に係るクレードルは、以上のように、上記構成において、自己の異常振動または異常音を破壊予備現象として検知する破壊検知部を備える構成である。
【０１１７】
それゆえ、クレードルは異常振動または異常音により、不審者のクレードルに対する攻撃や破壊工作を検知することができる。
【０１１８】
これにより、不審者の攻撃や破壊工作を外部に通報することにより、セキュリティ機能が無能化されることを回避することができるという効果を奏する。
【０１１９】
本発明に係るクレードルは、以上のように、上記構成において、前記センサが取り付けられた装置の制御指示情報をセンサに送信するセンサ指示部を備える構成である。
【０１２０】
それゆえ、センサ指示部は、センサが取り付けられた装置の制御指示情報をセンサに送信する。これを受信したセンサは、制御指示情報の内容に基づいて直接的に、装置の制御部に上記指示情報を付与することにより間接的に、装置を制御する。
【０１２１】
これにより、利用者の指示やセンサからの通報に基づいて各種装置を制御することができるので、ホームコントロールなどを含む高度なセキュリティ機能を提供することが可能になるという効果を奏する。
【０１２２】
本発明に係るクレードルは、以上のように、上記構成において、前記センサ通信部は、前記センサと無線通信を行う構成である。
【０１２３】
これにより、複雑な配線を設ける必要がないので、多数のセンサであっても容易に設置することができるという効果を奏する。併せて、複数のクレードルが存在する場合には、クレードル同士で無線通信を行うことにより、各種の情報交換や他のクレードルへの指示を行うことができるという効果を奏する。
【０１２４】
本発明に係るクレードルは、以上のように、上記構成において、前記センサは、外部通信網と接続される構成である。
【０１２５】
これにより、センサはインターネット等の外部通信網と接続されるので、クレードルに携帯電話機が設置されていない緊急時であっても、クレードルは、センサを介して外部に各種通報を行うことができるという効果を奏する。併せて、クレードルやセンサは、上記通信網を介して各種の情報収集を行うことが可能になるという効果を奏する。
【０１２６】
本発明に係るセキュリティシステムは、以上のように、上記構成のクレードルと、上記クレードルからの送信情報を受信する情報受信手段および該情報受信手段の受信情報を管理する情報管理手段を有する管理装置とからなる構成である。
【０１２７】
これにより、情報管理手段は、リアルタイムあるいは事後的に、クレードルからの送信情報を解析することができるので、利用者や第三者に多彩な情報を提供することが可能になるという効果を奏する。
【図面の簡単な説明】
【図１】
本発明の一実施形態に係るセキュリティシステムの概略構成を示すブロック図である。
【図２】
クレードルの概略構成を示すブロック図である。
【図３】
クレードルの筐体の外観例を示す説明図である。
【図４】
クレードルの筐体の他の外観例を示す説明図である。
【図５】
クレードルの筐体の更なる外観例を示す説明図である。
【図６】
クレードルの筐体に設けられたコネクタの形態を示す説明図である。
【図７】
携帯電話機の概略構成を示すブロック図である。
【図８】  
管理センタの概略構成を示すブロック図である。
【図９】
セキュリティシステムの動作例を説明するための図である。
【図１０】
図４の筐体の内部構成を示すブロック図である。
【図１１】
図５の筐体の内部構成を示すブロック図である。
【符号の説明】
１０  クレードル
１１  携帯電話機
１２  センサ
１２ａ〜ｅ  センサ
１３  管理センタ（外部）
２０  ＣＰＵ（送信指示部，センサ指示部）
２４  通信回路（センサ通信部）
２５  アンテナ（センサ通信部）
２６  モータ駆動部（方向変化手段）
２７  モータ（方向変化手段）
２９  破壊検知センサ（破壊検知部）
４２  カメラ部（撮像部）
４３  回転台座（方向変化手段）
５２  カメラ部（撮像部）